(57)【要約】　　　（修正有）【課題】金融営業店のロビー等に設置され、大口の入出金や両替が行える顧客操作型の貨幣取引処理装置を提供すること。【解決手段】取引に関する入力操作を行う取引入力操作手段と、バラ状態の貨幣を受け入れて識別計数を行い、金種別にバラ貨幣収納部に収納するバラ貨幣入金手段と、前記バラ貨幣収納部内にある前記バラ貨幣を繰り出して、所定枚数ごとに結束・包装等の包装処理を行う貨幣包装手段と、前記貨幣包装手段で包装された包装貨幣を金種別に収納すると共に、投出することができる金種別包装貨幣収納投出部と、前記バラ貨幣収納部から繰り出されたバラ貨幣、または前記金種別包装貨幣収納投出部から投出された包装状態の貨幣を搬送し顧客が取り出し可能にする取出口とを有する貨幣取引処理装置によって達成される。【選択図】図３
2004070486.tif 000002
【特許請求の範囲】
【請求項１】
金融営業店のロビー等に設置され、顧客自らの操作によって取引を行うことができる貨幣取引処理装置であって、
該貨幣取引処理装置は、
取引に関する入力操作を行う取引入力操作手段と、
バラ状態の貨幣を受け入れて識別計数を行い、金種別にバラ貨幣収納部に収納するバラ貨幣入金手段と、
前記バラ貨幣収納部内にある前記バラ貨幣を繰り出して、所定枚数ごとに結束・包装等の包装処理を行う貨幣包装手段と、
前記貨幣包装手段で包装された包装貨幣を金種別に収納すると共に、投出することができる金種別包装貨幣収納投出部と、
前記バラ貨幣収納部から繰り出されたバラ貨幣、または前記金種別包装貨幣収納投出部から投出された包装状態の貨幣を搬送し顧客が取り出し可能にする取出口と、
を有することを特徴とする金融営業店における貨幣取引処理装置。
【請求項２】
前記貨幣取引処理装置が、投入された現金の金額の範囲内で、指定した金種、枚数の現金を投出する両替機能をも具備したことを特徴とする請求項１に記載の金融営業店における貨幣取引処理装置。
【請求項３】
前記貨幣取引処理装置が、顧客がロビー側から入ることのできる所に設けられた個室に設置されるものである請求項１又は２に記載の金融営業店における貨幣取引処理装置。
【請求項４】
前記個室の出入口扉の付近にＩＤ媒体読取手段が設けられるとともに、顧客情報が格納されたＩＤ媒体から読み取られた前記顧客情報が、特定の顧客のものである場合にのみ、前記出入口扉の解錠を行うようにしたことを特徴とする請求項３に記載の金融営業店における貨幣取引処理装置。
【請求項５】
さらに、前記個室が金融営業店のカウンターの内側からも入室可能である請求項３に記載の金融営業店における貨幣取引処理装置。
【発明の詳細な説明】
【０００１】
【発明の属する技術分野】
本発明は、金融営業店のロビー等に設置され、大口の現金の入出金を顧客自らの操作によって行える貨幣取引処理装置に関する。
【０００２】
【従来の技術】
従来、金融営業店（銀行の本支店等）のロビーに設置されているＡＴＭは、紙幣・硬貨の入出金はできるが、１回の取扱い枚数に制限があり、大口の入出金処理はできなかった。
【０００３】
また、大口の現金の入出金を行う特定の法人客用のためのロビー入金機は、多量の硬貨・紙幣の入金が可能であるが、入金された現金は行員の手で回収して整理する必要がある。
【０００４】
一方、両替機は、棒金・小束（紙幣）の投出は行えるが、その棒金・小束は別途包装・結束されたものを両替機に手で装填するものである。
【０００５】
これに対して、出納機はバラの現金を受け入れて包装・結束を行い、棒金・小束の投出が行えるが、行員しか取扱うことができなかった。
【０００６】
【発明が解決しようとする課題】
上述のように、大口の入出金を行う顧客はＡＴＭでは処理できないので、窓口担当者に依頼して行う必要があり、待ち時間増加や担当者の負担となっていた。
【０００７】
また、特定の法人客はロビー入金機で大口の入金処理を行うことができたとしても、入金されたバラ状態の現金を回収し、別途整理作業を行う必要があり、これが行員の負担ともなっていた。
【０００８】
さらには、両替機に装填する棒金・小束を別の包装装置で包装し、それを手作業で両替機に装填する作業もあり、これが行員にとって大きな負担となっていた。
【０００９】
一方、営業店の経営者から見れば、顧客の要求を満足させるためには、上述のように、ＡＴＭの他に、両替機、ロビー入金機、出納機のおのおのが必要であり、営業店経営に膨大な費用投資が必要であった。
【００１０】
本発明は、上述のような問題点に鑑みなされたものであり、金融営業店のロビー等に設置され、大口の入出金や両替が行える顧客操作型の貨幣取引処理装置
を提供することを目的とする。
【００１１】
【課題を解決するための手段】
本発明は、金融営業店のロビー等に設置され、大口の入出金や両替が行える顧客操作型の貨幣取引処理装置に関し、本発明の上記目的は、金融営業店のロビー等に設置され、顧客自らの操作によって取引を行うことができる貨幣取引処理装置であって、該貨幣取引処理装置は、取引に関する入力操作を行う取引入力操作手段と、バラ状態の貨幣を受け入れて識別計数を行い、金種別にバラ貨幣収納部に収納するバラ貨幣入金手段と、前記バラ貨幣収納部内にある前記バラ貨幣を繰り出して、所定枚数ごとに結束・包装等の包装処理を行う貨幣包装手段と、前記貨幣包装手段で包装された包装貨幣を金種別に収納すると共に、投出することができる金種別包装貨幣収納投出部と、前記バラ貨幣収納部から繰り出されたバラ貨幣または前記金種別包装貨幣収納投出部から投出された包装状態の貨幣を搬送し顧客が取り出し可能にする取出口とを有することを特徴とする金融営業店における貨幣取引処理装置によって達成される。これにより、従来行われていたバラ貨幣を回収し、包装し、充填するという作業がなくなり、行員の負担が軽減されるとともに、顧客の待ち時間が減少する。
【００１２】
また、本発明の上記目的は、前記貨幣取引処理装置に、投入された現金の金額の範囲内で、指定した金種、枚数の現金を投出する両替機能をも具備させることにより、より効果的に達成される。これにより、専用の両替機が不要となり、また、両替機に装填するための棒金・小束の作成作業も不要となるため、経営の合理化が図られる。
【００１３】
さらに、本発明の上記目的は、前記貨幣取引処理装置を、顧客がロビー側から入ることのできる所に設けられた個室に設置することによって、より効果的に達成される。これによって、大口の現金の出し入れを他人に見られずに済むため、防犯性が向上する。
【００１４】
またさらに、本発明の上記目的は、前記個室の出入口扉の付近にＩＤ媒体読取手段を設けるとともに、顧客情報が格納されたＩＤ媒体から読み取られた前記顧客情報が、特定の顧客のものである場合にのみ、前記出入口扉の解錠を行うようにすることにより、より効果的に達成される。これにより、個室に入室できる客を特定客に限定することができるため、防犯性が更に向上する。
【００１５】
さらにまた、本発明の上記目的は、前記個室を金融営業店のカウンターの内側からも入室可能にすることにより、より効果的に達成される。これによって、行員も前記貨幣取引処理装置を使用することができ、専用の出納機が不要になり、低コスト経営が可能となる。
【００１６】
【発明の実施の形態】
以下、本発明に係る金融営業店における貨幣取引処理装置について、図面を参照しつつ、詳細に説明する。
【００１７】
図１は、本発明に係る貨幣取引処理装置が設置された金融営業店の配置例を示すものであり、図中１は受付番号発行機であり、受付の順番を表す番号が記載されたカードを発行するものである。２は伝票記帳台であり、顧客が伝票に記入するところである。３は窓口のテラーが操作を行う窓口端末機であり、４は硬貨や紙幣を入出金する貨幣処理機等を含む窓口処理機であり、５は本発明に係る、顧客が操作して大口の入出金取引を行うのに使用される貨幣取引処理装置であり、６は店内のデータ管理を行う管理サーバであり、７は銀行等の金融機関のセンターに設置されているホストコンピュータである。これらが、ＬＡＮ等の通信回線により互いに接続されている。８は貨幣取引処理装置５が設置される個室であり、９は後述のＩＤカードから顧客情報を読み取るカード読取装置（請求項４に記載した「ＩＤ媒体読取手段」の実施形態の一つである。）である。
【００１８】
図２は、貨幣取引処理装置５の一例を示す外観図である。図２に示されるように、貨幣取引処理装置５は、束紙幣出金部５０１と、バラ紙幣入出金部５０２と、紙幣結束部５０３と、新券出金部５０４と、包装硬貨出金部５０５と、バラ硬貨入出金部５０６と、硬貨包装部５０７と、出金伝票に認証印字を行うための認証印字用プリンタ５１１と、貨幣取引処理装置の各種操作用のキーを表示するタッチパネルからなる操作表示部（請求項１に記載した「取引入力操作手段」の実施形態の一つである。）５１３と、制御用ＣＰＵやＲＯＭ等を内部に持つターミナル部５１２とを備えている。更に、顧客のＩＤ情報が格納されたＩＤカード（請求項４に記載した「ＩＤ媒体」の実施形態の一つである。）用のカード処理部５１４と、レシート発行部５１５と、小切手、手形等を入れる現金外ボックス５１６と、通帳への印字等を行う通帳処理部５０９を備えている。
【００１９】
なお、特許請求の範囲記載のバラ貨幣入金手段は前記バラ紙幣入出金部５０２及びバラ硬貨入出金部５０６に対応し、貨幣包装手段は紙幣結束部５０３及び硬貨包装部５０７に対応し、金種別包装貨幣収納投出部は前記束紙幣出金部５０１及び包装硬貨出金部５０５に対応し、取出口は図２の各出金口に対応している。
【００２０】
図３は貨幣取引処理装置５の内部構成例を示しており、ＣＰＵ５２１がＲＯＭ５２２等に格納されたプログラムに従って全体を制御するようになっており、ＣＰＵ５２１にはデータを記憶する記憶部５２４、通信制御部５２５が接続されている。また、ＣＰＵ５２１等で構成されるターミナル部５１２には、操作表示部５１３、カード処理部５１４、認証印字及びジャーナル用の認証・ジャーナルプリンタ５１１、レシート発行部５１５、通帳処理部５０９が接続されている。さらには、ターミナル部５１２には、新券出金部５０４、束紙幣出金部５０１、バラ紙幣入出金部５０２、紙幣結束部５０３、包装硬貨出金部５０５、バラ硬貨入出金部５０６、硬貨包装部５０７の各部が接続されている。なお、ＲＡＭ５２３はＣＰＵ５２１の作業用メモリである。
【００２１】
図４は、前記バラ紙幣入出金部５０２の内部構成の一例を示した図であり、入金口から入れられたバラ紙幣は、入金識別部５４１において金種、真偽の判定がなされ、偽札あるいは汚損等で識別不能の場合はリジェクトされ、真券であれば表裏反転部５４２で表裏を揃えた後、金種ごとにバラ紙幣収納部５４３に格納される。出金の場合は、バラ紙幣収納部５４３から繰り出された紙幣が出金識別部５４４で金種、枚数（２枚重なって出てくる場合がある）が確認され、出金口から排出される。また、束紙幣での出金が要求された場合は、前記バラ紙幣収納部５４３から繰り出された紙幣は結束用集積部５４５に集積され、所定単位枚数（例えば１００枚）に達すれば束搬送部５４６に送られ、次の束紙幣出金部５０１へと送られる。
【００２２】
図５は、前記束紙幣出金部５０１の内部構成の一例を示した図であり、前記束搬送部５４６から送られた（結束前の）束紙幣は、紙幣結束部５０３にて結束（帯封）され、束出金口から排出されるか、若しくは束集積部に一旦集められた後、各金種ごとに収納される。両替等で束紙幣での出金が要求された場合は、この逆に、束収納部から必要な束紙幣が束集積部に集められ、束出金口から排出される。
【００２３】
図６は前記バラ硬貨入出金部５０６の内部構成の一例を示した図であり、入金口から入れられたバラ硬貨は、識別部において金種、真偽の判定がなされ、金種ごとにバラ硬貨収納部５６１に格納される。出金の場合は、バラ硬貨収納部５６１から繰り出された硬貨が、出金口から排出される。また、包装硬貨（棒金）での出金が要求された場合は、前記バラ硬貨収納部５６１から繰り出された硬貨は硬貨包装部５０７に集積され、所定単位枚数（例えば５０枚）に達すれば包装され、棒金となる。
【００２４】
図７は前記包装硬貨出金部５０５の内部構成の一例を示した図であり、前記硬貨包装部５０７で包装された棒金は、包装硬貨収納部５７１に各金種ごとに収納される。両替等で棒金での出金が要求された場合は、包装硬貨収納部５７１から必要な棒金が取り出され、棒金出金口から排出される。
【００２５】
次に、内部に紙幣結束部や硬貨包装部を具備している、本発明に係る貨幣取引処理装置５を使用した、両替操作について説明する。顧客が１万円札９枚（計９万円）をバラ紙幣入出金部に入れ、操作表示部５１３から、５００円１本（２５，０００円）、１００円６本（３０，０００円）、５０円１０本（２５，０００円）、１０円２０本（１０，０００円）と棒金の金種と本数を入力すれば、包装硬貨出金部５０５により、両替された棒金が出金される。また、前記９万円を１万円紙幣ではなく、複数の金種が混在した状態で入金したとしても同様の結果が得られる。
【００２６】
このように、顧客が持参したバラの紙幣又は硬貨を入金し、束紙幣や棒金で出金することができるので、従来のように窓口で行員の手を煩わせることもなく、専用の両替機も不要となる。
【００２７】
また、図１のように、本発明に係る貨幣取引処理装置５を個室８に設置し、取引を行う客のみが個室に入れるようにすれば、他の客から取引内容を覗かれることもなく防犯性が保たれる。具体的には、取引を行おうとする顧客が、ＩＤカードをカード読取装置９に挿入すると、該ＩＤカードから顧客ＩＤ情報が読み取られ、それが特定の顧客（大口取引の顧客）のＩＤである場合にのみ、個室の扉の錠が解錠されるように構成されている。
【００２８】
さらには、本発明に係る貨幣取引処理装置は、従来の出納機の持つ機能をすべてかね備えているので、出納機としての使用も可能である。従って、個室の扉をロビー側及びカウンター側の両方に設け、営業時間内は顧客の使用に供し、営業時間終了後は行員が使用できるようにすれば、行員専用であった従来の出納機は不要となり、経営のコスト削減が図られる。
【００２９】
【発明の効果】
上述のように、本発明に係る貨幣取引処理装置によれば、一台の機械で大口の入金、整理、小束／棒金の投出が行え、顧客自らによって操作させる為、バラ現金の回収、結束・包装、補充といった業務が大幅に削減される。
【００３０】
また、個室に設置され、現金の受け取りを他の顧客に見られないこと、あるいは特定客以外の入室を制限する為、防犯性・セキュリティ性が向上する。
【００３１】
さらには、１台の機械で、ロビー入金機、両替機、出納機を兼用できるようにしたため、専用の出納機が不要になり、低コスト経営が可能となるという効果がある。
【図面の簡単な説明】
【図１】本発明に係る金融営業店における取引処理システムの構成の一例を示す図である。
【図２】本発明に係る貨幣取引処理装置の一例を示す外観図である。
【図３】本発明に係る貨幣取引処理装置の内部構成例を示す図である。
【図４】バラ紙幣入出金部の内部構成の一例を示した図である。
【図５】束紙幣出金部の内部構成の一例を示した図である。
【図６】バラ硬貨入出金部の内部構成の一例を示した図である。
【図７】包装硬貨出金部の内部構成の一例を示した図である。
【符号の説明】
５　貨幣取引処理装置
８　個室
９　カード読取装置
５０１　束紙幣出金部
５０２　バラ紙幣入出金部
５０３　紙幣結束部
５０５　包装硬貨出金部
５０６　バラ硬貨入出金部
５０７　硬貨包装部
５４４　バラ紙幣収納部
５６１　バラ硬貨収納部
５７１　包装硬貨収納部
【図１】
2004070486.tif 000003
【図２】
2004070486.tif 000004
【図３】
2004070486.tif 000005
【図４】
2004070486.tif 000006
【図５】
2004070486.tif 000007
【図６】
2004070486.tif 000008
【図７】
2004070486.tif 000009